(57)【特許請求の範囲】
【請求項１】
組織の領域における内部圧力に対応する電気信号を提供するように構成されたプレチスモグラフであって、該プレチスモグラフは、前記組織の領域の表面に配置されるように共に構成されたセンサ及び堅固なガード部材を含み、前記センサは、前記堅固なガード部材の開口に配置された力トランスデューサを有し、前記センサは、前記ガード部材の表面と同一面内に位置合わせされた検知面を有する、プレチスモグラフと、
前記信号を用いて、アルゴリズムを実装するための命令を実行し、前記領域における前記内部圧力に対応する出力を生成するように構成されたプロセッサと、
を備えるデバイス。
【請求項２】
前記プレチスモグラフは、光センサを含む、請求項１に記載のデバイス。
【請求項３】
前記光センサは、局所的オキシメータセンサを含む、請求項２に記載のデバイス。
【請求項４】
前記プレチスモグラフは、空気チャンバを含む、請求項１に記載のデバイス。
【請求項５】
前記空気チャンバは、インフラッタブルカフを含む、請求項４に記載のデバイス。
【請求項６】
前記力トランスデューサは、前記ガード部材の中央に配置されている、請求項１に記載のデバイス。
【請求項７】
前記プロセッサは、前記信号に対応するエコー振幅、前記信号に対するパルス伝搬時間、及び、前記信号に対するパルス立ち上がり時間のうちの少なくとも１つを計算するように構成される、請求項１に記載のデバイス。
【請求項８】
前記プロセッサは、曲線の下の面積を計算するように構成され、前記曲線は、前記信号の時間領域表現によって決定される、請求項１に記載のデバイス。
【請求項９】
第１の組織部位にセンサを取り付けることであって、前記センサは、堅固なガード部材の開口に配置された力トランスデューサを有し、前記ガード部材と前記センサは、それぞれ、前記第１の組織部位と接触し且つ互いに同一平面内に位置合わせされるように構成された面を有し、前記トランスデューサは、前記第１の組織部位における内部圧力に対応する電気信号を提供するように構成される、ことと、
プロセッサを用いて、前記内部圧力を基準値と比較することと、
前記比較に基づいて、前記第１の組織部位における筋区画症候群に対応する出力を提供することと、
を含む方法。
【請求項１０】
前記センサを取り付けることは、前記第１の組織部位に前記センサを押し付けることを含む、請求項９に記載の方法。
【請求項１１】
前記プロセッサを用いて、前記内部圧力を前記基準値と比較することは、前記内部圧力を第２の組織部位における圧力の測定値と比較することを含み、前記第２の組織部位は前記第１の組織部位とは異なる、請求項９に記載の方法。
【請求項１２】
組織の領域と接触するように構成されたセンサ及び堅固なガード部材を提供することであって、前記センサは、前記ガード部材の開口に配置された力トランスデューサを有し、前記センサは、前記ガード部材の面と同一面内に位置合わせされた検知面を有する、ことと、
プロセッサを、前記センサからの電気信号を受信するように構成することであって、前記信号は、前記組織の領域についての周期的な生理学的パラメータに対応する、ことと、
前記信号を用いてアルゴリズムを実装するように前記プロセッサをプログラミングすることであって、前記プロセッサは、前記領域における圧力に対応する出力を生成するように構成されている、ことと、
を含む方法。
【請求項１３】
組織の他の領域上に配置されるよう構成された、前記センサとは異なるタイプの第２のセンサを提供することであって、該第２のセンサは、発光器及び受光器の組み合わせと、空気チャンバとのうちの少なくとも一方を含む、ことと、
前記発光器と前記空気チャンバ内の圧力とのうちの少なくとも一方を制御するように前記プロセッサを更に構成することと、
を更に含む、請求項１２に記載の方法。
【請求項１４】
前記プロセッサを、前記アルゴリズムを実装するようにプログラミングすることは、前記信号に対応するエコー振幅を計算するようにプログラミングすることを含む、請求項１２に記載の方法。
【請求項１５】
前記プロセッサを、前記アルゴリズムを実装するようにプログラミングすることは、曲線の下の面積を計算するようにプログラミングすることを含み、前記曲線が、前記信号の時間領域表現によって決定される、請求項１２に記載の方法。
【請求項１６】
前記プロセッサを、前記アルゴリズムを実装するようにプログラミングすることは、前記信号に対するパルス伝搬時間、前記信号に対するパルス立ち上がり時間、及び前記信号の傾向のうちの少なくとも１つを計算するようにプログラミングすることを含む、請求項１２に記載の方法。
【発明の詳細な説明】
【技術分野】
【０００１】
＜優先権主張＞
この特許出願は、２０１４年６月６日出願の、米国仮特許出願第６２／００８，９３８号に対する優先権の利益を主張し、且つ、２０１４年１１月２１日出願の、米国仮特許出願第６２／０８２，７１５号の優先権の利益を主張し、これらの夫々は、その全体が、参照によってここに組み込まれる。
【背景技術】
【０００２】
健康体は、様々な内臓及び身体の領域において、通常の内部圧力を有しているだろう。病気、怪我又は病状の結果、この圧力は、過大になり得る。例えば、筋区画症候群は、肢内の圧力の異常な増加によって特徴付けられる病状を指し、脳圧（ＩＣＰ）は、頭蓋骨内の過剰な圧力を指す。
【０００３】
筋区画症候群に関連した圧力は、組織の腫れを導く、領域への血液の流入と、血液の放出の機能不全の結果である。検査しないままでは、この状態は、軽微な場合、組織のダメージを引き起こし、より重大な場合には、肢の切断又は、死亡を引き起こしうる。
【０００４】
筋区画症候群の一般的な治療の一つは、筋膜切開術として知られる外科手術を含む。筋膜切開術は、筋区画内の圧力を緩和するように調整された、一連の切開を必要とする。筋膜切開術は、しかし、厄介な問題、特に、痛み、及び、感染のリスクなしとは行かない。
【発明の概要】
【０００５】
筋区画症候群などの内圧の診断は、典型的には、観察された症状に基づいている。とりわけ、筋区症候群及び他の圧力関連の状態は、非侵襲性センサからのデータを用いて、検出し、モニタされることができることを、本発明者は認識していた。
【０００６】
一例によれば、デバイスは、プレチスモグラフ（ｐｌｅｔｈｙｓｍｏｇｒａｐｈ）及びプロセッサを含む。プレチスモグラフは、組織の領域において、周期的な生理学的パラメータに対応する信号を提供するように構成される。プロセッサは、この信号を用いて、アルゴリズムを実行するための命令を実行するように構成される。プロセッサは、この領域における圧力に対応する出力を生成するように構成される。
【０００７】
方法は、表面に共平面センサを取り付けることと、プロセッサを用いることと、出力を提供することとを含む。この方法は、第１の組織部位における表面に共平面センサを取り付けることを含む。センサは、堅固なガード部材の穴に配置された力トランスデューサを有する。ガード部材とトランスデューサは、共に同一平面にあるように配置される。トランスデューサは、第１の組織部位における内部圧力に対応する電気信号を提供するように構成される。この方法は、内部圧力を基準値と比較するためにプロセッサを用いることを含む。この比較に基づいて、この方法は、第１の組織部位における筋区画症候群に対応する出力を提供することを含む。
【０００８】
この概要は、本特許出願の主題の概要を提供することを意図されている。これは、本発明の排他的又は網羅的説明を提供することは意図されていない。詳細な説明は、本特許出願についての更なる情報を提供するために含まれる。
【図面の簡単な説明】
【０００９】
必ずしも同一の縮尺で描かれていない図面においては、同様な参照番号は、異なる図において、同様なコンポーネントを示しうる。異なる添え字を有する同様な参照番号は、同様なコンポーネントの異なる例を表しうる。図面は、一般に、例示として、限定的でない形で、本文書内で議論される様々な実施形態を図示する。
【００１０】
【図１Ａ】光プレチスモグラフ（ｐｈｏｔｏｐｌｅｔｈｙｓｍｏｇｒａｐｈ）を図示する。
【図１Ｂ】光プレチスモグラフを図示する。
【図２】一例による、システムのブロック図を含む。
【図３Ａ】一例による、入力モジュールの図を含む。
【図３Ｂ】一例による、入力モジュールの図を含む。
【図３Ｃ】一例による、入力モジュールの図を含む。
【図３Ｄ】一例による、入力モジュールの図を含む。
【図４】一例による、方法のフローチャートを含む。
【図５】一例による、方法のフローチャートを含む。
【発明を実施するための形態】
【００１１】
図１Ａ及び１Ｂは、光プレチスモグラフ（ｐｈｏｔｏｐｌｅｔｈｙｓｍｏｇｒａｐｈ）の図を図示する。プレチスモグラフは、心臓の周期、呼吸の周期、又は、心臓及び呼吸の両方の周期によって引き起こされる圧力揺らぎから発生する器官又は組織領域の時間的に変化する容積測定的変化を示す。様々な方法が、インフラッタブルカフ（ｉｎｆｌａｔａｂｌｅ  ｃｕｆｆ）などの空気装置及び、パルスオキシメータ（ｐｕｌｓｅ  ｏｘｉｍｅｔｅｒ）などの測光装置（ｐｈｏｔｏｍｅｔｒｉｃ  ｄｅｖｉｃｅ）を含む、プレチスモグラフを生成するために用いられうる。光プレチスモグラフ（又はＰＰＧ）は、測光由来プレチスモグラフを示す。
【００１２】
組織領域における脈を打つ血液からの容積測定的変化は、動脈圧と、動脈側血管（動脈、小動脈、及び、毛細血管）を取り囲む組織の組織内流体圧力との差によって主に決定される。この圧力差は、経壁圧；血管の壁面に渡った圧力と一般に呼ばれる。とりわけ、プレチスモグラフ信号の強度は、経壁圧に比例する。プレチスモグラフ信号において記載されたような圧力の違いは、筋区画症候群又は頭蓋内圧上昇（通常レベルから経壁圧を変化させ得る状態）などの異常状態を示すことがある。これらの違いは、内部圧力に関する情報を提供するために、検出され、較正されることができる。単独で、又は、局所的酸素化測定（ｒＳＯ２）と共に、内部圧力についての情報は、局所虚血の開始を診断する際に、臨床医によって用いられることができる。ＰＰＧの形状は、患者によって大きく異なりうるので、時間経過の傾向の解析は、興味深い。
【００１３】
図１Ａは、呼吸速度によって変化する一連のパルスを図示する。図面において、呼吸誘発強度変化は、ＲＩＩＶと示される。
【００１４】
パルスの様々な特徴が図１Ｂに示される。例えば、図は、パルス伝搬時間（ＰＰＴ）、エコー振幅（Ｅａｍｐ）、パルス振幅（ＰＡ）、パルスタイミング（ＰＴ）、及び、パルス立ち上がり時間（ＰＲＴ）を図示する。
【００１５】
センサの下の組織圧力に対する感度は、あるパラメータ（幾つかの例は、Ｅａｍｐ、ＰＰＴ、又はＰＲＴを含む）又は、これらのパラメータの測定値を評価することによって改善されることができる。例えば、圧力は、ピーク値、平均値、分散の計量（標準偏差など）によって、又は、１以上のパラメータに関連した曲線（ＡＵＣ）の下の面積を評価することによって相関付けられることができる。これらの特徴は、また、拡張期、及び、収縮期の血圧にも相関付けられる。これらのパラメータは、血圧の傾向及び組織内圧力の部位に特異的な傾向をモニタすることによって用いられることができる。これらの計量は、組み合わされると、問題の組織のパーフュージョン（ｐｅｒｆｕｓｉｏｎ）についてのインジケータを臨床医に与える。
【００１６】
標準的なｒＳＯ２センサは、１以上の光エネルギー源と、１以上の光エネルギー検知素子とを含む。様々なＰＰＧパラメータは、多くの異なる方法で組み合わされることができる。異なる光検知素子の間隔は、例えば、特定の測定可能な傾向を評価するために、相互に参照されることができる。ＰＰＧパラメータは、また、身体の他の場所のセンサを制御するために参照されることができ、再び、傾向を探すことができる。
【００１７】
図２は、一例による、システム１００のブロック図を含む。システム１００は、プロセッサ１３０に結合された入力モジュール１１０Ａを含む。プロセッサ１３０は、また、ユーザインタフェース１４０とメモリ１５０とに結合される。
【００１８】
図示された例においては、入力モジュール１１０Ａは、センサ１１５Ａ及びインタフェース１２０Ａを含む。一例においては、センサ１１５Ａは、組織内の圧力に対応する信号を提供するように構成された素子を含むことができる。センサ１１５Ａは、発光器及び受光器を含むことができる。インタフェース１２０Ａは、アナログ−デジタルコンバータ（ＡＤＣ）、デジタル−アナログコンバータ（ＤＡＣ）、増幅器、フィルタ、または、プロセッサ１３０に提供される（電気信号などの）データを調整するために適合された他の回路を含むことができる。
【００１９】
プロセッサ１３０は、入力モジュール１１０Ａからデータを受信するように構成される。一例では、プロセッサ１３０は、入力モジュール１１０Ａの素子の動作を制御するために、入力モジュール１１０Ａに信号を提供する。
【００２０】
メモリ１５０は、プロセッサ１３０によって実行されるための命令のストレージを提供することができる。メモリ１５０は、比較（基準）データ、傾向データ、較正情報、パラメータ、又は、処理結果用のストレージを提供することができる。
【００２１】
ユーザインタフェース１４０は、キーボード、タッチ感応スクリーン、マウスもしくはカーソル制御装置、プリンタ、ディスプレイ、ネットワークインタフェース、又は、プロセッサ１３０からデータを受信するように構成されるか、もしくは、プロセッサ１３０にデータを提供するように構成された他の素子を含むことができる。
【００２２】
図３Ａは、入力モジュール１１０Ｂの図を含む。入力モジュール１１０Ｂは、センサ１１５Ｂに結合されるインタフェース１２０Ｂを含む。図面においては、センサ１１５Ｂは、ここで、素子１１２Ａ、素子１１２Ｂ、及び素子１１２Ｃとして示され、それぞれが、センサ１１５Ｂの表面上に配置される、３つの素子を含む。素子から発光される光は、センサ１１５Ｂの表面（底部）に隣接して配置される組織上に向けられる。
【００２３】
素子１１２Ａ、１１２Ｂ、及び１１２Ｃは、発光器と受光器の任意の組み合わせを含むことができる。発光器は、発光ダイオード（ＬＥＤ）を含むことができる。受光器は、フォトディテクタを含むことができる。例えば、素子１１２Ｃは、発光器を含むことができ、素子１１２Ａ及び１１２Ｂは、受光器を含むことができる。センサ１１５Ｂの表面上の素子の間隔は、組織への光エネルギーの浸透の選択された深さに対応するように構成されることができる。図示されるように、センサ１１５Ｂは、３つの素子を含むが、３つよりも多い、又は、３つよりも少ない素子も設けられることができる。様々な例において、１又は２個の発光器が、センサの表面上に提供される。更に、発光器は、複数の異なる波長で光を発するように構成されることができる。
【００２４】
インタフェース１２０Ｂは、双方向リンクによってセンサ１１５Ｂに結合される。インタフェース１２０Ｂは、センサ１１５Ｂと、データ又は信号を交換するように構成される。更に、インタフェース１２０Ｂは、また、プロセッサ１３０（図２）のようなプロセッサとも通信する。
【００２５】
図３Ｂは、一例による、入力モジュール１１０Ｃの図を含む。入力モジュール１１０Ｃは、センサ１１５Ｂに結合され、及び、センサ１１５Ｃにも結合されるインタフェース１２０Ｃを含む。
【００２６】
センサ１１５Ｂは、この文書の他所で記述され、ここに図示された例においては、接触面に配置された３つの光素子を含む。センサ１１５Ｃは、平面を有する圧力センサを含み、しばしば、共平面センサリング又は陣痛計（ｔｏｃｏｄｙｎａｍｏｍｅｔｅｒ）と呼ばれる。共平面センサリングは、ガードリングとその中央に配置された力センサとを含む。力センサは、ガードリングと実質的に共平面な（同一平面内にある）検知面を有する。ガードリングは、組織面に対して押し付けられたとき、組織を隔壁のように平坦化し、そして、この隔壁と接触して保持された力センサが、局所領域における組織圧力の計量を提供する。
【００２７】
インタフェース１２０Ｃは、双方向リンクによって、センサ１１５Ｂとセンサ１１５Ｃとの両方に結合される。インタフェース１２０Ｃは、センサ１１５Ｂ、及び、センサ１１５Ｃと、データ又は信号の交換をするように構成される。更に、インタフェース１２０Ｃは、また、プロセッサ１３０などのプロセッサと通信も行う。
【００２８】
図３Ｃは、一例による、入力モジュール１１０Ｄの図を含む。入力モジュール１１０Ｄは、センサ１１５Ｄと結合されたインタフェース１２０Ｄを含む。
【００２９】
センサ１１５Ｄは、陣痛計リングセンサのガードリングとして構成される接触面上に配置される、ここでは、素子１１２Ｄ、１１２Ｅ、及び１１２Ｆとして示される、３つの光素子を含む。
【００３０】
インタフェース１２０Ｄは、双方向リンクによってセンサ１１５Ｄに結合される。インタフェース１２０Ｄは、センサ１１５Ｄとデータ又は信号を交換するように構成される。更に、インタフェース１２０Ｃは、また、プロセッサ１３０などのプロセッサと通信も行う。
【００３１】
一例では、インタフェース１２０Ｄは（プロセッサ１３０と協働して）、陣痛計リングセンサ及び光素子１１２Ｄ、１１２Ｅ、及び１１２Ｆの動作を独立に制御することができる。
【００３２】
図３Ｄは、一例による、入力モジュール１１０Ｅの図を含む。入力モジュール１１０Ｅは、センサ１１５Ｂに結合され、センサ１１５Ｅにも結合されるインタフェース１２０Ｅを含む。
【００３３】
センサ１１５Ｂは、この文書の他所に記述され、ここに図示された例においては、接触面に配置された３つの光素子を含む。センサ１１５Ｅは、ここに、圧力カフ（ｐｒｅｓｓｕｒｅ  ｃｕｆｆ）として図示されている。圧力カフは、患者の肢を取り囲み、血圧の計量を提供するように構成される。血圧カフ（ｂｌｏｏｄ  ｐｒｅｓｓｕｒｅ  ｃｕｆｆ）のチャンバ内の空気圧は、調節され、カフに関連したセンサ素子は、（血圧に対応する）電気信号をインタフェース１２０Ｅに提供する。
【００３４】
インタフェース１２０Ｅは、双方向リンクによって、センサ１１５Ｂとセンサ１１５Ｅとの両方に結合される。インタフェース１２０Ｅは、センサ１１５Ｂ及びセンサ１１５Ｅとデータ又は信号を交換するように構成される。更に、インタフェース１２０Ｅは、また、プロセッサ１３０などのプロセッサとも通信する。
【００３５】
図４は、一例による、方法４００のフローチャートを含む。方法４００は、４１０において、生理学的信号を受信することを含む。生理学的信号は、１以上の光素子から導出されるデータに対応するデータを受信することを含むことができる。例えば、データは、患者の組織部位に関連した散乱光、反射光、減衰光に基づいて、光減衰に対応することができる。様々な例において、生理学的信号は、血圧データ又は組織データ（陣痛計リングセンサからなど）を含むことができる。
【００３６】
方法４００は、４２０において、信号処理を含むことができる。信号処理は、データをフィルタリングすること、又は、データを増幅することを含むことができる。更に、信号処理は、極大又は極小、ピーク値、曲線の下の面積、又は、振幅もしくは位相の差を計算することを含むことができる。様々な例においては、信号処理は、時間領域表現又は周波数領域表現における、データの解析を含む。信号処理は、また、例えば、メモリ１５０（図２）において格納される基準データと、測定データとを比較することも含むことができる。
【００３７】
方法４００は、４３０において、出力を生成することを含むことができる。出力は、視覚ディスプレイ上に、タッチ感応スクリーン上に、音声信号（もしくはアラーム)の形態で、又は、他の形態で、レンダリングされることができる。一例においては、出力は、局所領域又は広域領域におよぶネットワークを用いて、符号化され、通信される。ネットワークは、有線又は無線リンクによって通信する素子を含むことができる。
【００３８】
図５は、一例による、方法５００のフローチャートを含む。方法５００は、５１０において、プロセッサへのデータ入力ポートを用意することを含む。データプロセッサは、図２に示されるプロセッサ１３０のようなアナログ又はデジタルプロセッサとすることができる。データ入力ポートは、有線コネクタを含むことができ、又は、無線テレメトリモジュールを含むことができ、それらの一例は、ブルートゥース接続を含む。
【００３９】
方法５００は、５２０において、アルゴリズムを実行するようにプロセッサを構成することを含む。これは、データのアナログ処理を実装するための回路を用意すること、又は、デジタルプロセッサによる実行のための実行可能な命令を提供することを含むことができる。命令は、組織部位における圧力を示すデータを生成するために、センサ素子を制御するように構成されることができる。例えば、非侵襲性センサから導出される光データと共に、曲線の下の面積の計量は、アルゴリズムを用いて処理されることができる。
【００４０】
方法５００は、５３０において、出力を生成するようにプロセッサを構成することを含む。これは、プロセッサを視覚ディスプレイに結合することと、プロセッサを、組織部位における圧力の計量を示すデータをレンダリングするようにプログラミングすることとを含むことができる。
【００４１】
[様々な注記及び例]
例１は、（装置、方法、動作を実行するための手段、又は、デバイスによって実行されたとき、デバイスに動作を実行させることができる命令を含む、デバイス可読媒体などの）主題を含むことができるか、又は、用いることができ、第１の組織部位における表面上に共平面センサを取付けることであって、センサは、堅固なガード部材の穴（開口）に配置された力トランスデューサを有し、ガード部材とトランスデューサは共平面に配置され、トランスデューサは、第１の組織部位における内部圧力に対応する電気信号を提供するように構成される、取り付けることと；内部圧力を基準値と比較するためにプロセッサを用いることと；比較に基づいて、第１の組織部位において、筋区画症候群に対応する出力を提供することと、を含むことができるか、又は、用いることができるというようなものである。
【００４２】
例２は、例１の主題を含むか、又は、任意に組み合わせることができ、共平面センサを取り付けることは、センサに結合するベルトへ引っ張り力を印加することを含む、ことを任意に含む。
【００４３】
例３は、例１又は例２のうちの一つ又は任意の組み合わせの主題を含むか、又は、任意に組み合わせることができ、共平面センサを取り付けることは、第１の組織部位にセンサを押し付けることを含む、ことを任意に含む。
【００４４】
例４は、例１から例３のうちの一つ又は任意の組み合わせの主題を含むか、又は、任意に組み合わせることができ、内部圧力を基準値と比較するためにプロセッサを用いることは、内部圧力を、第２の組織部位における圧力の計量と比較し、第２の組織部位は、第１の組織部位と異なることを任意に含む。
【００４５】
例５は、例４の主題を含むか、又は、任意に組み合わせることができ、遠隔圧力センサを第２の組織部位に取り付け、遠隔圧力センサは、電気端子を有し、内部圧力を第２の組織部位における圧力計量と比較することは、電気端子上の圧力信号と比較することを含む、ことを任意に含む。
【００４６】
例６は、例１から例５のうちの一つ又は任意の組み合わせの主題を含むか、又は、任意に組み合わせることができ、内部圧力を基準値と比較するためにプロセッサを用いることは、内部圧力を格納値と比較することを含む、ことを任意に含む。
【００４７】
例７は、例１から例６のうちの一つ又は任意の組み合わせの主題を含むか、又は、任意に組み合わせることができ、筋区画症候群に対応する出力を提供することは、視覚指示を提供することを含む、ことを任意に含む。
【００４８】
例８は、例１から例７のうちの一つ又は任意の組み合わせの主題を含むか、又は、任意に組み合わせることができ、筋区画症候群に対応する出力を提供することは、出力を無線で通信することを含む、ことを任意に含む。
【００４９】
例９は、（装置、方法、動作を実行するための手段、又は、デバイスによって実行されたとき、デバイスに動作を実行させることができる命令を含む、デバイス可読媒体などの）主題を含むことができるか、又は、用いることができ、組織の領域において、周期的な生理学的パラメータに対応する信号を提供するように構成されたプレチスモグラフと、信号を用いて、アルゴリズムを実装するための命令を実行し、この領域の圧力に対応する出力を生成するように構成されたプロセッサと、を含むことができるか、又は、用いることができるようなものである。
【００５０】
例１０は、例９の主題を含むことができるか、又は、任意に組み合わせられることができ、プレチスモグラフは、光センサを含む、ことを任意に含む。
【００５１】
例１１は、例１０の主題を含むことができるか、又は、任意に組み合わせられることができ、光センサは、パルスオキシメータセンサを含む、ことを任意に含む。
【００５２】
例１２は、例１０又は例１１のうちの一つ又は任意の組み合わせの主題を含むことができるか、又は、任意に組み合わせられることができ、光センサは、局所的オキシメータセンサを含む、ことを任意に含む。
【００５３】
例１３は、例１０から例１２のうちの一つ又は任意の組み合わせの主題を含むことができるか、又は、任意に組み合わせられることができ、光センサは、第１の発光器と第２の発光器とを含む、ことを任意に含む。
【００５４】
例１４は、例９から例１３のうちの一つ又は任意の組み合わせの主題を含むことができるか、又は、任意に組み合わせられることができ、プレチスモグラフは、センサと空気チャンバとを含む、ことを任意に含む。
【００５５】
例１５は、例１４の主題を含むことができるか、又は、任意に組み合わせられることができ、空気チャンバは、インフラッタブルカフを含む、ことを任意に含む。
【００５６】
例１６は、例９から例１５のうちの一つ又は任意の組み合わせの主題を含むことができるか、又は、任意に組み合わせられることができ、プレチスモグラフは、力センサと固定支持構造とを含む、ことを任意に含む。
【００５７】
例１７は、例９から例１６のうちの一つ又は任意の組み合わせの主題を含むことができるか、又は、任意に組み合わせられることができ、プレチスモグラフは、ガードリング及びその中央に配置された力センサを含む、ことを任意に含む。
【００５８】
例１８は、例９から例１７のうちの一つ又は任意の組み合わせの主題を含むことができるか、又は、任意に組み合わせられることができ、プロセッサは、信号に対応するエコー振幅を計算するように構成されている、ことを任意に含む。
【００５９】
例１９は、例９から例１８のうちの一つ又は任意の組み合わせの主題を含むことができるか、又は、任意に組み合わせられることができ、プロセッサは、曲線の下の面積を計算するように構成され、曲線は、信号の時間領域の表現によって決定される、ことを任意に含む。
【００６０】
例２０は、例９から例１９のうちの一つ又は任意の組み合わせの主題を含むことができるか、又は、任意に組み合わせられることができ、プロセッサは、信号について、パルス伝搬時間を計算するように構成されている、ことを任意に含む。
【００６１】
例２１は、例９から例２０のうちの一つ又は任意の組み合わせの主題を含むことができるか、又は、任意に組み合わせられることができ、プロセッサは、信号について、パルス立ち上がり時間を計算するように構成される、ことを任意に含む。
【００６２】
例２２は、例９から例２１のうちの一つ又は任意の組み合わせの主題を含むことができるか、又は、任意に組み合わせられることができ、プロセッサは、傾向に基づいて、出力を生成するように構成される、ことを任意に含む。
【００６３】
例２３は、（装置、方法、動作を実行するための手段、又は、デバイスによって実行されたとき、デバイスに動作を実行させることができる命令を含む、デバイス可読媒体などの）主題を含むことができるか、又は、用いることができ、プレチスモグラフ信号を受信し、プレチスモグラフ信号は、組織の領域に対応する周期的な生理学的パラメータに対応する、ようにプロセッサを構成することと；信号を用いて、アルゴリズムを実装するようにプロセッサをプログラミングすることであって、プロセッサは、この領域の圧力に対応する出力を生成するように構成される、ことと、を含むことができるか、又は、用いることができるようなものである。
【００６４】
例２４は、例２３の主題を含むことができるか、又は、任意に組み合わせられることができ、プロセッサを、プレチスモグラフ信号を受信するように構成することは、プロセッサを、光センサから信号を受信するように構成することを含む、ことを任意に含む。
【００６５】
例２５は、例２３又は例２４のうちの一つ又は任意の組み合わせの主題を含むことができるか、又は、任意に組み合わせられることができ、プロセッサを、プレチスモグラフ信号を受信するように構成することは、プロセッサが発光器を制御するように構成することを含む、ことを任意に含む。
【００６６】
例２６は、例２３から例２５のうちの一つ又は任意の組み合わせの主題を含むことができるか、又は、任意に組み合わせられることができ、プロセッサを、プレチスモグラフ信号を受信するように構成することは、プロセッサを、空気チャンバ内の圧力を制御するように構成することを含む、ことを任意に含む。
【００６７】
例２７は、例２３から例２６のうちの一つ又は任意の組み合わせの主題を含むことができるか、又は、任意に組み合わせられることができ、プロセッサを、アルゴリズムを実装するようにプログラミングすることは、信号に対応して、エコー振幅を計算するようにプログラミングすることを含む、ことを任意に含む。
【００６８】
例２８は、例２３から例２７のうちの一つ又は任意の組み合わせの主題を含むことができるか、又は、任意に組み合わせられることができ、プロセッサを、アルゴリズムを実装するようにプログラミングすることは、曲線の下の面積を計算するようにプログラミングし、曲線は、信号の時間領域表現によって決定されることを含む、ことを任意に含む。
【００６９】
例２９は、例２３から例２８のうちの一つ又は任意の組み合わせの主題を含むことができるか、又は、任意に組み合わせられることができ、プロセッサを、アルゴリズムを実装するようにプログラミングすることは、信号について、パルス伝搬時間を計算するようにプログラミングすることを含む、ことを任意に含む。
【００７０】
例３０は、例２３から例２９のうちの一つ又は任意の組み合わせの主題を含むことができるか、又は、任意に組み合わせられることができ、プロセッサを、アルゴリズムを実装するようにプログラミングすることは、信号について、パルス立ち上がり時間を計算するようにプログラミングすることを含む、ことを任意に含む。
【００７１】
例３１は、例２３から例３０のうちの一つ又は任意の組み合わせの主題を含むことができるか、又は、任意に組み合わせられることができ、プロセッサを、アルゴリズムを実装するようにプログラミングすることは、傾向を特定するようにプログラミングすることを含む、ことを任意に含む。
【００７２】
これらの非限定的な例の夫々は、それ自体で成り立ち、又は、他の例の１以上と、様々な置換もしくは組み合わせで、組み合わされることができる。
【００７３】
上記の詳細な説明は、詳細な説明の一部を形成する添付図面を参照することを含む。図面は、例示によって、本発明が実施されることができる特定の実施形態を示す。これらの実施形態は、また、ここでは、「例」とも呼ばれる。そのような例は、図示され、又は、記述されたものに加えた素子を含むことができる。しかし、本発明者は、また、図示され、又は、説明されたそれらの素子のみが提供される例も考案する。更に、本発明者は、また、ここに示され、又は、説明された、特定の例（もしくは、１以上のその態様）について、又は、他の例(もしくは、１上のその態様）について、示され、又は、説明されたそれらの素子（もしくは、１以上のその態様）の任意の組み合わせ、又は、置換を用いて、例を考案する。
【００７４】
この文書と、参照によって組み込まれた任意の文書との間に語法の不整合がある場合、この文書の語法が優先する。
【００７５】
この文書においては、特許文書において一般的であるように、語句「ａ」もしくは「ａｎ」は、「少なくとも一つ（ａｔ  ｌｅａｓｔ  ｏｎｅ）」もしくは「一つ以上（ｏｎｅ  ｏｒ  ｍｏｒｅ）」の任意の他の例又は語法とは独立に、１以上を含むものとして用いられている。この文書では、語句「又は（ｏｒ）」は、他に示されない限り、非排他的であることを指すために用いられ、又は、「Ａ又はＢ」は、「ＡではあるがＢではない」、「ＢではあるがＡではない。」ならびに「Ａ及びＢ」を含むようにする。この文書では、語句「ｉｎｃｌｕｄｉｎｇ」及び「ｉｎ  ｗｈｉｃｈ」は、「ｃｏｍｐｒｉｓｉｎｇ」及び「ｗｈｅｒｅｉｎ」のそれぞれの語句の、英語の平易な均等表現として用いられる。また、以下の請求項では、語句「ｉｎｃｌｕｄｉｎｇ」及び「ｃｏｍｐｒｉｓｉｎｇ」は、開かれた語句で、つまり、請求項の中で、そのような語句の後に記載されるものに加えた要素を含む、システム、デバイス、製品、組成物、製剤、又はプロセスは、依然、その請求項の範囲に入ると考えられる。更に、以下の請求項では、語句「第１」、「第２」、及び、「第３」などが、単なるラベルとして用いられ、それらの対象に、数字的要件を課すことは意図されていない。
【００７６】
本明細書に記述した方法例は、少なくとも部分的に、マシン又はコンピュータ実装されることができる。幾つかの例は、上記例において記述される方法を実行するように電子デバイスを構成するように動作可能な命令を符号化した、コンピュータ可読媒体又はマシン可読媒体を含むことができる。そのような方法の実装は、マイクロコード、アセンブリ言語コード、高級言語コードなどのコードを含むことができる。そのようなコードは、様々な方法を実行するためのコンピュータ可読命令を含むことができる。コードは、コンピュータプログラム製品の一部を形成しうる。更に、一例では、コードは、実行中、又は、他のときに、１以上の揮発性、非一時的な、又は、不揮発性有形コンピュータ可読媒体上に、有形な形で格納されることができる。これらの有形コンピュータ可読媒体の例は、これらには限定されないが、ハードディスク、着脱可能な磁気ディスク、着脱可能な光ディスク（例えば、コンパクトディスク、及び、デジタルビデオディスク）、磁気カセット、メモリカード又はスティック、ランダムアクセスメモリ（ＲＡＭ）、リードオンリーメモリ（ＲＯＭ）などを含むことができる。
【００７７】
上記記述は、例示を意図しており、限定的であることは意図していない。例えば、上記の例（又は、１以上のその態様）は、相互に組み合わせて用いられても良い。他の実施形態は、上記記述を吟味した当業者によってなど、用いられることができる。要約書は、技術開示の性質を読者が迅速に確認することができるように、提供される。それは、請求項の範囲又は意味を解釈又は限定するために用いられないだろうという理解と共に提出される。また、上記の詳細な説明において、様々な特徴は、開示を合理化するために、一緒にグループ化されても良い。これは、請求されていない開示された特徴が、任意の請求項に対して本質的であることを意図しているとは解釈されるべきではない。むしろ、発明的主題は、特定の開示された実施形態のすべての特徴よりも少ないものに存在しても良い。従って、以下の請求項は、例又は実施形態として、詳細な説明に組み込まれ、各請求項は、それ自身で、個別の実施形態として独立し、そのような実施形態は、様々な組み合わせ、又は、置換において、相互に組み合わされることができると考えられる。本発明の範囲は、請求項が権利を付与される均等物の全範囲と共に、添付の請求項を参照して、決定されるべきである。
【図１Ａ】
0006612335.tif 000002
【図１Ｂ】
0006612335.tif 000003
【図２】
0006612335.tif 000004
【図３Ａ】
0006612335.tif 000005
【図３Ｂ】
0006612335.tif 000006
【図３Ｃ】
0006612335.tif 000007
【図３Ｄ】
0006612335.tif 000008
【図４】
0006612335.tif 000009
【図５】
0006612335.tif 000010